(57)【要約】【課題】狭い場所でも大型機械を使用せずに人力で施工することができる柱状構造物の補強方法を提供する。【解決手段】柱状構造物の補強方法である。水平断面略矩形の柱状構造物１の隅角部において、柱状構造物１の高さの所定数分の１以下の高さに形成した断面略Ｌ字形の補強折板１１を、該補強折板１１の入隅部が柱状構造物１の隅角部に一致するように、かつ高さ方向に前記所定数段配列した状態で、柱状構造物１に接着し、次いで前記柱状構造物１の４側面と平行かつ離間して補強平板１２を配置し、該補強平板１２の両側端部を前記補強折板１１に接着する。人力で持ち運びできる重さで柱状構造物１の高さよりも小さい高さの補強折板１１及び補強平板１２を用いて、大型機械を使用せずに人力で施工することができる。【選択図】図１
2006009342.tif 000002
【特許請求の範囲】
【請求項１】
水平断面略矩形の柱状構造物の隅角部において、前記柱状構造物の高さの所定数分の１以下の高さに形成した断面略Ｌ字形の補強折板を、該補強折板の入隅部が柱状構造物の隅角部に一致するように、かつ高さ方向に前記所定数段配列した状態で、前記柱状構造物に接着し、次いで前記柱状構造物の４側面と平行かつ離間して前記補強折板とほぼ同高さの補強平板を配置し、該補強平板の両側端部を前記補強折板に接着することを特徴とする柱状構造物の補強方法。
【請求項２】
前記補強折板及び前記補強平板に冷間圧延鋼板を用いることを特徴とする請求項１に記載の柱状構造物の補強方法。
【請求項３】
前記補強平板を撓ませた状態で前記補強折板に接着することを特徴とする請求項１または２に記載の柱状構造物の補強方法。
【請求項４】
２段目以上の前記補強折板及び補強平板の下部に、該補強折板及び補強平板を支持する仮架台を水平に設けることを特徴とする請求項１〜３のいずれか一項に記載の柱状構造物の補強方法。
【請求項５】
前記補強折板及び前記補強平板の上下端と柱状構造物との隙間をコーキング材で閉塞することを特徴とする請求項１〜４のいずれか一項に記載の柱状構造物の補強方法。
【請求項６】
前記柱状構造物の４側面と前記補強平板との間に間隔保持材を設けることを特徴とする請求項１〜５のいずれか一項に記載の柱状構造物の補強方法。
【請求項７】
前記補強折板として磁性体を用い、前記補強折板及び前記補強平板に接着剤を塗布して互いに当接させた後に、前記補強平板の外側面から前記補強折板に対応する位置に磁石を配置し、前記補強平板を前記補強折板に固定することを特徴とする請求項１〜６のいずれか一項に記載の柱状構造物の補強方法。
【請求項８】
前記柱状構造物の隅角部と前記補強折板との隙間を閉塞する閉塞材を設けることを特徴とする請求項１〜７のいずれか一項に記載の柱状構造物の補強方法。
【請求項９】
最外層の前記補強折板及び前記補強平板には、少なくとも外側面に防錆処理が施された鋼板を用いることを特徴とする請求項１〜８のいずれか一項に記載の柱状構造物の補強方法。
【発明の詳細な説明】
【技術分野】
【０００１】
本発明は、橋脚や建物の柱等、鉄筋コンクリート製の柱状構造物を補強するための補強方法に関する。
【背景技術】
【０００２】
鉄筋コンクリート製の柱状構造物を補強する補強方法としては、例えば特許文献１に記載の方法がある。この方法は、柱状構造物の側面にスペーサーを付設し、スペーサーの外側に補強板を仮止めするとともに、隣接する補強板同士を接続板で接続し、柱状構造物と補強板及び接続板との間に接着剤を注入充填して硬化させるものである。
【特許文献１】特開平９−２５０２４６号公報
【発明の開示】
【発明が解決しようとする課題】
【０００３】
しかし、上記の方法では、スペーサーを介して補強板を柱状構造物と間隔を空けて仮止めし、柱状構造物と補強板との間に接着剤を注入充填するため、大量の接着剤が必要となり、施工コストが増大する。また、接着剤の厚さに比例して補強後の柱状構造物の占有面積が増大する欠点があった。
【０００４】
また、柱状構造物の高さが高い場合には、補強板もそれにあわせて大きくなり、人力での施工が困難であるため、大型機械を使用するために施工時の作業面積が増大し、狭隘な場所での施工性が悪いという問題があった。
【０００５】
本発明の課題は、狭い場所でも大型機械を使用せずに人力で施工することができる柱状構造物の補強方法を提供することである。
【課題を解決するための手段】
【０００６】
以上の課題を解決するため、請求項１に記載の発明は、柱状構造物の補強方法であって、図１〜図９に示すように、水平断面略矩形の柱状構造物１の隅角部において、前記柱状構造物１の高さの所定数分の１（図１では２分の１）以下の高さに形成した断面略Ｌ字形の補強折板１１を、該補強折板１１の入隅部が柱状構造物１の隅角部に一致するように、かつ高さ方向に前記所定数段（図１では２段）配列した状態で、前記柱状構造物１に接着し、次いで前記柱状構造物１の４側面と平行かつ離間して前記補強折板１１とほぼ同高さの補強平板１２を配置し、該補強平板１２の両側端部を前記補強折板１１に接着することを特徴とする。
【０００７】
ここで、柱状構造物１の高さの所定数分の１以下の高さとは、補強折板１１及び補強平板１２の単位高さ当たりの重さによって異なるが、当該高さに形成した補強折板１１及び補強平板１２が人力で持ち運びできる重さになるような高さである。
【０００８】
また、補強折板１１及び補強平板１２は人力で持ち運びできるように薄く軽いことが好ましいため、補強折板１１及び補強平板１２としては、厚さ２．３ｍｍ以下の薄板を用いることが好ましく、厚さ１ｍｍ以下の薄板を用いることがより好ましい。
【０００９】
請求項１に記載の発明によれば、水平断面略矩形の柱状構造物１の隅角部において、前記柱状構造物１の高さの所定数分の１以下の高さに形成した断面略Ｌ字形の補強折板１１を、該補強折板１１の入隅部が柱状構造物１の隅角部に一致するように、かつ高さ方向に前記所定数段配列した状態で、柱状構造物１に接着し、次いで前記柱状構造物１の４側面と平行かつ離間して前記補強折板１１とほぼ同高さの補強平板１２を配置し、該補強平板１２の両側端部を前記補強折板１１に接着するので、柱状構造物１の高さよりも小さい高さの補強折板１１及び補強平板１２を用いて、大型機械を使用せずに人力で施工することができる。
【００１０】
また、柱状構造物１の４側面と平行かつ離間して前記補強折板１１とほぼ同高さの補強平板１２を配置し、補強平板１２の両側端部を前記補強折板１１に接着することで、補強折板１１と補強平板１２による環状構造を形成することができ、柱状構造物１が軸方向の圧縮力を受けることで生じる径方向の膨出力に対し、補強折板１１及び補強平板１２が対抗することができる。
【００１１】
請求項２に記載の発明は、請求項１に記載の柱状構造物の補強方法であって、前記補強折板１１及び前記補強平板１２に冷間圧延鋼板を用いることを特徴とする。
【００１２】
通常の熱間圧延鋼板には表面に酸化被膜（黒皮）が形成されているため、そのままでは接着力が弱く、接着する時に酸化皮膜を除く表面処理を行う必要がある。しかし、冷間圧延鋼板には酸化皮膜がない。請求項２に記載の発明によれば、補強折板１１及び補強平板１２に冷間圧延鋼板を用いることで、酸化皮膜を除く表面処理を行う手間を省くことができる。
【００１３】
請求項３に記載の発明は、請求項１または２に記載の柱状構造物の補強方法であって、前記補強平板１２を撓ませた状態で前記補強折板１１に接着することを特徴とする。
【００１４】
ここで、補強平板１２を撓ませるためには、薄いことが好ましい。このため、補強平板１２として厚さ２．３ｍｍ以下の薄板を用いることが好ましく、厚さ１ｍｍ以下の薄板を用いることがより好ましい。
【００１５】
請求項３に記載の発明によれば、補強平板１２を撓ませた状態で補強折板１１に接着することで、補強平板１２が冷却され収縮しても、補強平板１２の撓みが減少するのみで補強平板に張力が作用しない。このため、補強折板１１と補強平板１２との接着部に張力が作用せず、接着部の劣化を防止することができる。
【００１６】
請求項４に記載の発明は、請求項１〜３のいずれか一項に記載の発明であって、図２に示すように、２段目以上の前記補強折板１１及び補強平板１２の下部に、該補強折板１１及び補強平板１２を支持する仮架台２０を水平に設けることを特徴とする。
【００１７】
請求項４に記載の発明によれば、２段目以上の補強折板１１及び補強平板１２の下部に、補強折板１１及び補強平板１２を支持する仮架台２０を水平に設けることで、補強折板１１の下端を仮架台２０に支持させて配置することができ、接着剤が固化するまでの間、補強折板１１及び補強平板１２のずれ落ちを防止することができる。また、仮架台２０を水平に設置することで、補強折板１１及び補強平板１２を水平に仮保持することができる。
【００１８】
請求項５に記載の発明は、請求項１〜４のいずれか一項に記載の柱状構造物の補強方法であって、前記補強折板１１及び前記補強平板１２の上下端と柱状構造物１との隙間をコーキング材１４で閉塞することを特徴とする。
【００１９】
請求項５に記載の発明によれば、補強折板１１及び補強平板１２の上下端と柱状構造物１との隙間をコーキング材１４で閉塞することにより、当該隙間から雨水や酸素が流入することを防止し、補強折板１１及び補強平板１２の腐食を防ぐことができる。
【００２０】
請求項６に記載の発明は、請求項１〜５のいずれか一項に記載の柱状構造物の補強方法であって、前記柱状構造物１の４側面と前記補強平板１２との間に間隔保持材１３を設けることを特徴とする。
【００２１】
請求項６に記載の発明によれば、柱状構造物１の４側面と補強平板１２との間に間隔保持材１３を設けることで、補強平板１２が必要以上に撓むことを防ぐことができ、補強平板１２がより強固に柱状構造物１を拘束し、柱状構造物１が軸方向の圧縮力を受けることで生じる径方向の膨出力に対抗することができる。
【００２２】
請求項７に記載の発明は、請求項１〜６のいずれか一項に記載の柱状構造物の補強方法であって、図６に示すように、前記補強折板１１として磁性体を用い、前記補強折板１１及び前記補強平板１２に接着剤を塗布して互いに当接させた後に、前記補強平板１２の外側面から前記補強折板１１に対応する位置に磁石３５を配置し、前記補強平板１２を前記補強折板１１に固定することを特徴とする。
【００２３】
請求項７に記載の発明によれば、補強折板１１として磁性体を用い、補強折板１１及び補強平板１２に接着剤を塗布して互いに当接させた後に、補強平板１２の外側面から補強折板１１に対応する位置に磁石３５を配置し、補強平板１２を補強折板１１に固定することで、接着剤が固化するまでの間、補強平板１２を補強折板１１に固定しておくことができる。
【００２４】
請求項８に記載の発明は、請求項１〜７のいずれか一項に記載の柱状構造物の補強方法であって、図７または図８に示すように、前記柱状構造物１の隅角部と前記補強折板１１との隙間を閉塞する閉塞材を設けることを特徴とする。
【００２５】
ここで、閉塞材としては、無収縮モルタルや接着剤等の充填材であってもよい。あるいは、柱状構造物１の隅角部に面取り部２が形成されている場合には、柱状構造物１と補強折板１１との隙間の形状に等しい断面直角三角形状の三角柱材３３であってもよい。
【００２６】
請求項８に記載の発明によれば、柱状構造物１の隅角部と補強折板１１との隙間を閉塞する閉塞材を設けることで、補強折板１１がより強固に柱状構造物１を拘束することができ、柱状構造物１が軸方向の圧縮力を受けることで生じる径方向の膨出力に対抗することができる。
【００２７】
請求項９に記載の発明は、請求項１〜８のいずれか一項に記載の柱状構造物の補強方法であって、最外層の前記補強折板１１及び前記補強平板１２には、少なくとも外側面に防錆処理が施された鋼板を用いることを特徴とする。
【００２８】
ここで、防錆処理の施された鋼板としては、例えば腐食防止用の塗装が施された塗装鋼板や、ステンレス鋼板を用いることができる。あるいは、施工後に、最外層に位置する補強折板１１及び補強平板１２の外側面に防錆塗装を施してもよい。
【００２９】
請求項９に記載の発明によれば、最外層の補強折板１１及び補強平板１２に少なくとも外側面に防錆処理が施された鋼板を用いることで、補強折板１１及び補強平板１２の腐食を防止することができる。
【発明の効果】
【００３０】
本発明によれば、水平断面略矩形の柱状構造物の隅角部において、前記柱状構造物の高さの所定数分の１以下の高さに形成した断面略Ｌ字形の補強折板を、該補強折板の入隅部が柱状構造物の隅角部に一致するように、かつ高さ方向に前記所定数段配列した状態で、柱状構造物に接着し、次いで前記柱状構造物の４側面と平行かつ離間して前記補強折板とほぼ同高さの補強平板を配置し、該補強平板の両側端部を前記補強折板に接着するので、柱状構造物の高さよりも小さい高さの補強折板及び補強平板を用いて、大型機械を使用せずに人力で施工することができる。
【００３１】
また、柱状構造物の４側面と平行かつ離間して前記補強折板とほぼ同高さの補強平板を配置し、補強平板の両側端部を前記補強折板に接着することで、補強折板と補強平板による環状構造を形成することができ、柱状構造物が軸方向の圧縮力を受けることで生じる径方向の膨出力に対し、補強折板及び補強平板が対抗することができる。
【００３２】
また、補強折板及び補強平板に冷間圧延鋼板を用いることで、酸化皮膜を除く表面処理を行う手間を省くことができる。
【００３３】
また、補強平板を撓ませた状態で補強折板に接着することで、補強平板が冷却され収縮しても、補強平板の撓みが減少するのみで補強平板に張力が作用しない。このため、補強折板と補強平板との接着部に張力が作用せず、接着部の劣化を防止することができる。
【００３４】
さらに、２段目以上の補強折板及び補強平板の下部に、補強折板及び補強平板を支持する仮架台を水平に設けることで、補強折板の下端を仮架台に支持させて配置することができ、接着剤が固化するまでの間、補強折板及び補強平板のずれ落ちを防止することができる。また、仮架台を水平に設置することで、補強折板及び補強平板を水平に仮保持することができる。
【００３５】
また、補強折板及び補強平板の上下端と柱状構造物との隙間をコーキング材で閉塞することにより、当該隙間から雨水や酸素が流入することを防止し、補強折板及び補強平板の腐食を防ぐことができる。
【００３６】
また、柱状構造物の４側面と補強平板との間に間隔保持材を設けることで、補強平板が必要以上に撓むことを防ぐことができ、補強平板がより強固に柱状構造物を拘束し、柱状構造物が軸方向の圧縮力を受けることで生じる径方向の膨出力に対抗することができる。
【００３７】
また、補強折板として磁性体を用い、補強折板及び補強平板に接着剤を塗布して互いに当接させた後に、補強平板の外側面から補強折板に対応する位置に磁石を配置し、補強平板を補強折板に固定することで、接着剤が固化するまでの間、補強平板を補強折板に固定しておくことができる。
【００３８】
また、柱状構造物の隅角部と補強折板との隙間を閉塞する閉塞材を設けることで、補強折板がより強固に柱状構造物を拘束することができ、柱状構造物が軸方向の圧縮力を受けることで生じる径方向の膨出力に対抗することができる。
【００３９】
また、最外層の補強折板及び補強平板に少なくとも外側面に防錆処理が施された鋼板を用いることで、補強折板及び補強平板の腐食を防止することができる。
【発明を実施するための最良の形態】
【００４０】
以下、本発明について詳細に説明する。図１（ａ）は本発明を実施した補強後の柱状構造物１を示す図である。柱状構造物１の外周部には、補強折板１１と、補強平板１２とを接着して環状に形成された補強構造１０が、上下２段に設けられている。各補強構造１０の高さは、柱状構造物１の高さの２分の１よりも低い。
補強構造１０は、図１（ｂ）に示すように、補強折板１１と、補強平板１２と、間隔保持材１３等とから概略構成される。
【００４１】
補強折板１１は、鋼板を直角に折り曲げたものであり、その入隅部が柱状構造物１の隅角部に一致するように配置され、柱状構造物１に接着される。補強折板１１としては、薄板鋼板やステンレス鋼板等を折り曲げて用いることができる。補強折板１１は、その厚みによって異なるが、人力で運ぶことができる程度の重さになるような大きさに製造される。補強折板１１は、薄板鋼板やステンレス鋼板を現場で折り曲げて製造してもよいし、あらかじめ工場等で折り曲げて製造しておいてもよい。
【００４２】
補強平板１２は、平板状であり、両側端部で２つの補強折板１１と接着される。補強平板１２としては、補強折板１１と同様に、薄板鋼板やステンレス鋼板等を用いることができる。
【００４３】
補強平板１２は、撓ませた状態で補強折板１１に接着することが好ましい。補強平板１２が撓んでいる場合には、冬期に補強平板１２が冷却されて収縮しても、撓みが減少するのみであるため、補強平板に張力が作用しない。このため、補強折板１１と補強平板１２との接着部に補強平板１２の張力が作用せず、接着部の劣化を防止することができる。
【００４４】
補強折板１１及び補強平板１２は人力で持ち運びできるように薄く軽いことが好ましい。このため、補強折板１１及び補強平板１２としては、厚さ２．３ｍｍ以下の薄板を用いることが好ましく、厚さ１ｍｍ以下の薄板を用いることがより好ましい。
【００４５】
補強折板１１及び補強平板１２は、柱状構造物１の外周部に単層で、あるいは複数層重ねて設けられる。なお、補強折板１１及び補強平板１２を複数層重ねて設ける場合には、最外層を除く内側層の補強折板１１及び補強平板１２には、冷間圧延鋼板を用いることが好ましい。熱間圧延鋼板には表面に酸化被膜（黒皮）が形成されているため、接着する時に酸化皮膜を除く表面処理を行う手間が増えるからである。
【００４６】
また、最外層に位置する補強折板１１及び補強平板１２には、少なくとも外側面に腐食防止用の塗装が施された塗装鋼板や、ステンレス鋼板を用いることが好ましい。あるいは、施工後に、最外層の補強折板１１及び補強平板１２に防錆塗装を施してもよい。
【００４７】
補強折板１１を柱状構造物１や補強平板１２に接着する接着剤、及び補強平板１２を補強折板１１に接着する接着剤としては、アクリル系接着剤やエポキシ系接着剤等を用いることができる。
【００４８】
間隔保持材１３は、柱状構造物１と補強平板１２との間と、補強折板１１及び補強平板１２を複数層重ねて配置する場合には、各層の補強平板１２の間に配置される。間隔保持材１３としては、補強折板１１及び補強平板１２と同様の素材のものを用いることができるが、これに限られるものではない。
【００４９】
間隔保持材１３を設けることで、補強平板１２が必要以上に撓むことを防ぐことができる。また、間隔保持材１３を介して補強平板１２が柱状構造物１の側面を拘束することができる。
【００５０】
また、上下の補強構造１０の間には、図１に示すように、コーキング材１４が充填される。コーキング材１４は、上下の補強構造１０の間の隙間、及び補強構造１０と柱状構造物１との間の隙間を閉塞し、雨水や酸素が隙間から入って補強折板１１や補強平板１２を腐食することを防止する。同様に、上の段の補強構造１０の上端、及び下の段の補強構造１０の下端と柱状構造物１との間にも、コーキング材１４が施される。
【００５１】
補強構造１０は、以下の手順で施工される。まず、図２（ａ）に示すように、上の段の補強構造１０を支持する仮架台２０を柱状構造物１の側面に設ける。仮架台２０を設ける高さは、柱状構造物１の基部３から、補強折板１１の高さだけ高い位置である。補強構造１０を３段以上設ける場合には、さらに仮架台２０の上面から、補強折板１１の高さだけ高い位置に同様の仮架台を設ける。
【００５２】
この仮架台２０は、例えば図２（ｃ）に示すように、等辺山形鋼２１の一辺を水平に配置するとともに、他辺を柱状構造物１の側面に当接させ、固定アンカー２２等を用いて当該他辺を柱状構造物１に固定して形成する。
【００５３】
上の段の補強構造１０は、この上方に向けた辺の上部に設けられる。なお、仮架台２０はこれに限らず、補強折板１１や補強平板１２を支持することができるものであれば形状や構造は任意である。仮架台２０を設けることで、補強折板１１や補強平板１２の下端を仮架台２０に支持させて配置することができる。
【００５４】
また、柱状構造物１の側面に間隔保持材１３を設ける。なお、図２（ａ）では柱状構造物１の側面の中央に縦方向に長い矩形状あるいは帯状の間隔保持材１３を設けているが、取り付け位置や形状についてはこれに限らず、任意である。
【００５５】
次に、所定の高さに形成された補強折板１１の入隅部に接着剤を塗布し、入隅部を柱状構造物１の隅角部に当接させ、接着する。
【００５６】
補強折板１１を接着したら、柱状構造物１の４側面と平行かつ離間して補強平板１２を配置するとともに、補強平板１２の両側端部の内側面に接着剤を塗布し、補強折板１１の両端部１１ａの外側面に当接させ、接着する。補強折板１１及び補強平板１２を複数層設ける場合には、図２（ｂ）に示すように、先に設けた補強平板１２との間に間隔保持材１３を挟み、上記作業を行うことを繰り返す。
【００５７】
なお、補強平板１２は、撓ませた状態で補強折板１１に接着することが好ましい。補強平板１２が撓んでいる場合には、冬期に補強平板１２が冷却されて収縮しても、撓みが減少するのみであるため、補強平板に張力が作用しない。このため、補強折板１１と補強平板１２との接着部に補強平板１２の張力が作用せず、接着部の劣化を防止することができる。
【００５８】
補強折板１１と補強平板１２とを接着する接着剤として、例えばエポキシ系接着剤等の熱硬化性の接着剤を用いる場合には、図３に示すように、接着剤を塗布した部分にアイロン等の加熱装置３４を当てて加熱する。また、接着剤を塗布した部分にマイクロ波等の電磁波を当てて接着剤を加熱する加熱装置３４を用いてもよい。
【００５９】
以上の作業は、下の段の補強構造１０では、柱状構造物１の基部３に補強折板１１及び補強平板１２、間隔保持材１３を載せて行い、上の段の補強構造１０では、仮架台２０に補強折板１１及び補強平板１２、間隔保持材１３を載せて行う。
【００６０】
なお、補強平板１２を配置する際に、図４に示すように、あらかじめ柱状構造物１の４側面からアンカーボルト１５を突出させるとともに、補強平板１２のアンカーボルト１５に対応する位置に孔１６を開けておき、アンカーボルト１５を孔１６に通して補強平板１２を掛けてもよい。
【００６１】
また、図４（ｂ）において、アンカーボルト１５は間隔保持材１３を貫通しているが、アンカーボルト１５と間隔保持材１３とを異なる位置に設けてもよい。アンカーボルト１５は補強平板１２の接着後に撤去し、アンカーボルト１５を撤去した跡の穴に補修材を充填してもよいし、アンカーボルト１５を残してそのまま補強平板１２の固定に用いてもよい。
【００６２】
補強折板１１及び補強平板１２に接着剤を塗布して互いに当接させた後、接着剤が固めるまでの間は、図５に示すように、補強折板１１と補強平板１２との当接部分に沿って、当該部分を押圧する治具４１を補強折板１１の外周部に設ける。この治具４１は、補強構造１０の外周に沿って設けられた環状の帯材４２によって、外側から柱状構造物１の中心方向に付勢されている。このため、接着剤が固化するまで補強折板１１及び補強平板１２を確実に固定することができる。
【００６３】
また、補強折板１１に鋼板等の磁性体を用いた場合には、図６に示すように、補強平板１２の外側から補強折板１１に対応する位置に磁石３５を配置し、補強平板１２を補強折板１１に固定することで、接着剤が固化するまでの間、補強平板１２を補強折板１１に固定しておくことができる。
【００６４】
磁石３５の形状としては、矩形状、円形状、あるいは帯形状等、任意の形状のものを用いることができる。磁石３５を用いて補強平板１２を補強折板１１に固定する場合には、接着剤が固化した後に治具４１等を解体する手間を省くことができる。
【００６５】
補強折板１１及び補強平板１２の接着が完了した後に、必要に応じて、柱状構造物１と補強折板１１との間に、充填材を充填する。柱状構造物１の隅角部に面取り部２がある場合には、面取り部と補強折板１１との間にも、充填材を充填する。充填材としては、例えば無収縮モルタルや樹脂等を用いることができる。
【００６６】
柱状構造物１と補強折板１１との間に無収縮モルタルを充填する際に、無収縮モルタルを直接柱状構造物１と補強折板１１との間に上から流し入れると、無収縮モルタルの水分が柱状構造物１及び補強折板１１の表面で吸い取られ、施工性が悪くなる。
【００６７】
これを防ぐため、例えば図７（ａ）に示すように、柱状構造物１と補強折板１１との間にビニール等で形成された袋３１を挿入し、次いで袋３１の内部に無収縮モルタルを充填する方法を取ることができる。
【００６８】
また、図７（ｂ）に示すように、柱状構造物１と補強折板１１の無収縮モルタルと接する部分に、あらかじめ吸水防止剤３２を塗布しておいてもよい。吸水防止剤３２としては、例えば接着剤に用いるプライマー等を用いることができる。
【００６９】
あるいは、図８に示すように、充填材の代わりに、面取り部２と補強折板１１との隙間の形状に等しい断面直角三角形状の三角柱材３３をあらかじめ柱状構造物１の隅角部に配置し、三角柱材３３を挟んで補強折板１１を柱状構造物１に接着してもよい。
【００７０】
上記の充填材あるいは三角柱材３３を設けることで、補強折板１１がより強固に柱状構造物１を拘束することができ、柱状構造物１が軸方向の圧縮力を受けることで生じる径方向の膨出力に対抗することができる。
【００７１】
補強折板１１及び補強平板１２の接着が完了したら、仮架台２０を撤去する。仮架台２０を撤去すると、上下の補強構造１０の間に隙間ができるので、当該部分をコーキング材１４で閉塞する。同様に、上の段の補強構造１０の上端部分、及び下の段の補強構造１０の下端部分でも、柱状構造物１と補強構造１０との間の隙間をコーキング材１４で閉塞する。これにより、補強折板１１及び補強平板１２の内部に雨水や酸素が入って腐食することを防止することができる。
【００７２】
あるいは、仮架台２０を撤去した隙間部分をコーキング材１４で閉塞する代わりに、図９に示すように、仮架台２０を撤去した隙間部分を覆う帯状板１７を、補強折板１１及び補強平板１２に接着して設けてもよい。帯状板１７としては、薄板鋼板や塗装鋼板、ステンレス鋼板等を用いることができるが、補強折板１１及び補強平板１２の腐食を防止するために塗装鋼板またはステンレス鋼板を用いることが好ましい。
【００７３】
また、仮架台２０を撤去した隙間部分をコーキング材１４で閉塞するとともに、上記の帯状板１７を設けてもよい。さらに、帯状板１７の上下端と、補強折板１１及び補強平板１２との間の隙間を、コーキング材で閉塞してもよい。
【００７４】
なお、以上の実施の形態においては、補強構造１０を上下２段に分けて設けたが、柱状構造物１が高い場合や、補強折板１１及び補強平板１２の単位高さ当たりの重さが大きい場合には、３段以上に分けて設けてもよい。また、柱状構造物１に面取り部２がある場合には、補強折板１１を面取り部２に当接する形状にしてもよい。その他具体的な細部構造についても適宜変更可能であることはもちろんである。
【図面の簡単な説明】
【００７５】
【図１】本発明の補強方法が施された柱状構造物を示す図であり、（ａ）は斜視図、（ｂ）は水平断面図である。
【図２】本発明の補強方法を示す図であり、（ａ）は斜視図、（ｂ）は水平断面図、（ｃ）は（ａ）で用いられる仮架台を示す鉛直断面図である。
【図３】本発明の補強方法を示す図であり、（ａ）は斜視図、（ｂ）は水平断面図である。
【図４】本発明の補強方法を示す図であり、（ａ）は斜視図、（ｂ）は水平断面図である。
【図５】本発明の補強方法を示す図であり、（ａ）は斜視図、（ｂ）は水平断面図である。
【図６】本発明の補強方法を示す図であり、（ａ）は斜視図、（ｂ）は水平断面図である。
【図７】本発明の補強方法を示す図であり、（ａ）、（ｂ）ともに柱状構造物の隅角部を示す要部斜視図である。
【図８】本発明の補強方法を示す図であり、柱状構造物の隅角部を示す要部斜視図である。
【図９】本発明の補強方法が施された柱状構造物を示す図であり、斜視図である。
【符号の説明】
【００７６】
１     柱状構造物
２     面取り部
１１   補強折板
１２   補強平板
１３   間隔保持材
１４   コーキング材
２０   仮架台
３３   三角柱材
３５   磁石
【図１】
2006009342.tif 000003
【図２】
2006009342.tif 000004
【図３】
2006009342.tif 000005
【図４】
2006009342.tif 000006
【図５】
2006009342.tif 000007
【図６】
2006009342.tif 000008
【図７】
2006009342.tif 000009
【図８】
2006009342.tif 000010
【図９】
2006009342.tif 000011